【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
携帯型カウンタシンク加工用装置（１００）であって、
近位部分と長手方向反対の遠位部分とを有するドライバーロッド（３００）であって、前記遠位部分がワークピースによって画定されたボアによって受容されるように適合されており、前記ドライバーロッドが前記ワークピースの表面のボア開口部（６０）を通って前記ボアから外向きに延びるドライバーロッド（３００）、
ボア内ポジショナーであって、
前記ドライバーロッドの前記遠位部分と係合するベースと、前記ドライバーロッドの前記近位部分から離れる方向に向かって前記ベースから長手方向に延びる複数の把持部材とを含むコレットであって、前記把持部材が、前記ベースの周囲の周りから角度を付けて離間しており、且つ前記コレットを前記ボアに挿入し前記ボアから取り外すことが可能な収縮した配置と拡張した配置との間で作動可能に構成されている、コレットと、
前記遠位部分の周りに配置され、前記ドライバーロッドと同軸に係合されたマンドレルであって、前記遠位部分に対して収縮した位置と伸長した位置の間で作動可能であり軸方向に可動であるように構成され、前記ドライバーロッドの前記近位部分に向かって前記収縮した位置へと動くように作動された前記マンドレルは、前記複数の把持部材の間に受容され、前記把持部材を前記ボアと係合する径方向外側に向かう前記拡張した配置へともたらして前記コレットを前記ボア内の選択された深さで固定し、前記マンドレルが、前記ドライバーロッドの前記近位部分から離れて前記伸長した位置へと動くように作動されると、前記複数の把持部材が前記収縮した配置に戻ることができる、マンドレルと、を備えたボア内ポジショナー、
前記ドライバーロッドの周囲に係合するセンタリングチャック（４００）であって、前記ドライバーロッドに沿って軸方向に可動であり、前記ボア開口部と係合し、それによって、前記ボア内ポジショナーと協働して前記ドライバーロッドを前記ボアの長手方向軸（８０）に沿って並ぶように構成されたセンタリングチャック（４００）と、
前記センタリングチャックからみて前記ボア内ポジショナーと反対の側で、前記ドライバーロッドの周囲に係合しているカウンタボア（５００）であって、前記ドライバーロッドを中心にして回転可能であり、前記ボア開口部と係合して前記ボアをカウンタシンク加工するため、前記ドライバーロッドに沿って軸方向に前進するように構成されたカウンタボア（５００）と、
前記カウンタボアに関連付けられ、前記カウンタボアと協働して前記ボアをあらかじめ決定された深さまでカウンタシンク加工するように構成されたカウンタシンク深さ制御装置と、を備える、携帯型カウンタシンク加工用装置（１００）。
【請求項２】
前記コレットが、前記収縮した配置と前記拡張した配置の間で、係合する空気圧アクチュエータによって空気圧で作動可能である、請求項１に記載の装置。
【請求項３】
前記ドライバーロッド（３００）及び前記カウンタボア（５００）の周囲に広がるシュラウド（７００）であって、前記コレット（２１０）を前記拡張した配置へと作動するために、前記マンドレル（６００）の前記収縮した位置への軸方向の動きに応答して、前記コレットに向かって前進するように構成されたシュラウドを備える、請求項１または２に記載の装置。
【請求項４】
前記シュラウド（７００）によって画定される真空ポート（７５０）を介して、前記シュラウド（７００）と動作可能に係合している真空源（８００）を備え、前記真空源は、前記カウンタボア（５００）によって除去された前記ワークピース（７５）の部分を前記シュラウドから排出するため前記真空ポートと協働するように構成されている、請求項３に記載の装置。
【請求項５】
前記センタリングチャックが前記カウンタボアと係合し且つ前記カウンタボアと直列に配置され、前記カウンタボアと共にドライバーロッドを中心に回転可能である、請求項１から４のいずれか一項に記載の装置。
【請求項６】
前記カウンタボアと動作可能に係合された駆動エレメントであって、前記ドライバーロッドを中心にして前記カウンタボアを回転し、前記ドライバーロッドに沿って前記カウンタボアを軸方向に前進させるように構成された駆動エレメントを備える、請求項１から５のいずれか一項に記載の装置。
【請求項７】
前記カウンタシンク深さ制御装置は、前記センタリングチャック（４００）が前記ボア（５０）内に前記カウンタボアと協働して前進し、その結果前記ボア内ポジショナー（２００）と係合したという判定に応答して、駆動エレメント（８２５）に、前記カウンタボア（５００）を前記ドライバーロッド（３００）に沿って軸方向に後退させる指示をするように構成されたセンサ（８５０）を備える、請求項１から６のいずれか一項に記載の装置。
【請求項８】
前記駆動エレメント（８２５）と通信する駆動エレメントコントローラ（９００）であって、前記駆動エレメントは、前記ワークピース（７５）に関連づけられ且つ前記駆動エレメントコントローラによって前記駆動エレメントに伝達される回転速度パラメータ及び送り速度パラメータに応答して、前記カウンタボア（５００）を回転させ軸方向に前進させるように構成された、駆動エレメントコントローラを備える、請求項７に記載の装置。
【請求項９】
携帯型カウンタシンク加工用装置を形成する方法であって、
ドライバーロッドの遠位部分を、ワークピースによって画定されたボアによって受容されるように適合されたボア内ポジショナーのコレットと係合すること、ここで前記ドライバーロッドは、前記ボア内ポジショナーから前記ドライバーロッドの近位部分に向かって且つ前記ワークピースの表面にあるボア開口部を通って前記ボアから外向きに延びるように構成され、前記コレットは、前記ドライバーロッドの前記遠位部分と係合するベースと、前記ドライバーロッドの前記近位部分から離れる方向に向かって前記ベースから長手方向に延びる複数の把持部材とを含み、前記把持部材が、前記ベースの周囲の周りから角度を付けて離間しており、且つ収縮した配置と拡張した配置との間で作動可能に構成され、
マンドレルを前記ドライバーロッドの前記遠位部分と同軸に係合し、前記マンドレルが前記遠位部分に対して収縮した位置と伸長した位置の間で作動可能であり軸方向に可動であるように構成されるようにすること、ここで前記ドライバーロッドの前記近位部分に向かって前記収縮した位置へと動くように作動された前記マンドレルは、前記複数の把持部材の間に受容され、前記把持部材を前記ボアと係合する径方向外側に向かう前記拡張した配置へともたらして前記コレットを前記ボア内の選択された深さで固定し、前記マンドレルが、前記ドライバーロッドの前記近位部分から離れて前記伸長した位置へと動くように作動されると、前記複数の把持部材が前記収縮した配置に戻ることができ、前記コレットが前記ボアに挿入され前記ボアから取り外されることができ、
センタリングチャックを前記ドライバーロッドの周囲に係合すること、ここで前記センタリングチャックは、前記ドライバーロッドに沿って軸方向に可動であり、前記ボア開口部と係合し、それによって、前記ボア内ポジショナーと協働して前記ドライバーロッドを前記ボアの長手方向軸（８０）に沿って並ぶように構成され、
前記センタリングチャックからみて前記ボア内ポジショナーと反対の側で、カウンタボアを前記ドライバーロッドの周囲に係合すること、ここで前記カウンタボアは、前記ドライバーロッドを中心にして回転可能であり、前記ボア開口部と係合して前記ボアをカウンタシンク加工するため、前記ドライバーロッドに沿って軸方向に前進するように構成され、
カウンタシンク深さ制御装置を前記カウンタボアに関連付けること、ここで前記カウンタシンク深さ制御装置は、前記カウンタボアと協働して前記ボアをあらかじめ決定された深さまでカウンタシンク加工するように構成される、を含む方法。
【請求項１０】
ドライバーロッドをボア内ポジショナーのコレットと係合することが、前記ドライバーロッドを介して係合する空気圧アクチュエータによって収縮した配置と拡張した配置の間で空気圧で作動可能に構成されたコレットと前記ドライバーロッドを係合することを含む、請求項９に記載の方法。
【請求項１１】
シュラウドを、前記ドライバーロッド及び前記カウンタボアと係合し、前記ドライバーロッド及び前記カウンタボアの周囲に広がるようにすることを含み、前記シュラウドは、前記コレット（２１０）を前記拡張した配置へと作動するために、前記マンドレル（６００）の前記収縮した位置への軸方向の動きに応答して、前記コレットに向かって前進するように構成されている、請求項９または１０に記載の方法。
【請求項１２】
前記シュラウドによって画定される真空ポートを介して、真空源を前記シュラウドに動作可能に係合することを含み、前記真空源は、前記カウンタボアによって除去された前記ワークピースの部分を前記シュラウドから排出するため前記真空ポートと協働するように構成されている、請求項１１に記載の方法。
【請求項１３】
センタリングチャックを前記ドライバーロッドの周囲に係合することと、カウンタボアを前記ドライバーロッドの周囲に係合することが、前記センタリングチャックと前記カウンタボアを係合することを含み、前記センタリングチャックと前記カウンタボアが前記ドライバーロッドを中心に回転できるように、前記センタリングチャックは前記ドライバーロッドを中心に前記カウンタボアと係合され且つ前記カウンタボアと直列に配置される、請求項９から１２のいずれか一項に記載の方法。
【請求項１４】
駆動エレメントを前記カウンタボアと動作可能に係合することを含み、前記駆動エレメントは、前記ドライバーロッドを中心にして前記カウンタボアを回転し、前記ドライバーロッドに沿って前記カウンタボアを軸方向に前進させるように構成されている、請求項９から１３のいずれか一項に記載の方法。
【請求項１５】
カウンタシンク深さ制御装置を前記カウンタボアに関連付けることは、センサを前記カウンタボアに関連付けることを含み、前記センサは、前記センタリングチャックが前記ボア内に前記カウンタボアと協働して前進し、その結果前記ボア内ポジショナーと係合したという判定に応答して、駆動エレメントに、前記カウンタボアを前記ドライバーロッドに沿って軸方向に後退させる指示をするように構成されている、請求項１４に記載の方法。
【請求項１６】
駆動エレメントコントローラを前記駆動エレメントと通信するように係合することを含み、前記駆動エレメントは、前記ワークピースに関連づけられ且つ前記駆動エレメントコントローラによって前記駆動エレメントに伝達される回転速度パラメータ及び送り速度パラメータに応答して、前記カウンタボアを回転させ軸方向に前進させるように構成されている、請求項１４または１５に記載の方法。